(57)【要約】      （修正有）【課題】カレンダー用紙の暦部分以外の箇所に工夫を凝らして一層の再利用を図ったカレンダーを提供する。【解決手段】カレンダー本体１を構成している１枚または複数枚のカレンダー用紙２の表面には、日にちが印刷されている暦部５と、この暦部５以外で裏面をメモ書き用としては利用しない再利用部６とで構成されている。そして、前記カレンダー用紙２の再利用部６の表面には、一面にわたって１枚の写真が印刷されており、前記カレンダー用紙２の再利用部６の裏面には、複数枚のポストカードが印刷されている。【選択図】図１
2011101981.tif 000002
【特許請求の範囲】
【請求項１】
カレンダー本体（１）を構成している１枚または複数枚のカレンダー用紙（２）の表面には、日にちが印刷されている暦部（５）と、この暦部（５）以外で裏面をメモ書き用としては利用しない再利用部（６）とで構成されており、
前記カレンダー用紙（２）の再利用部（６）の表面には、一面にわたって１枚の写真が印刷されており、
前記再利用部（６）の裏面には、複数枚のポストカード（７）として印刷されている
ことを特徴とするカレンダー。
【請求項２】
カレンダー本体（１）を構成している１枚または複数枚のカレンダー用紙（２）の表面には、日にちが印刷されている暦部（５）と、この暦部（５）以外で裏面をメモ書き用としては利用しない再利用部（６）とで構成されており、
前記カレンダー用紙（２）の再利用部（６）の裏面には、複数枚のポストカード（７）として印刷されており、
前記再利用部（６）の表面には、前記ポストカード（７）に対応して１枚１枚写真がそれぞれ印刷されている
ことを特徴とするカレンダー。
【請求項３】
カレンダー本体（１）を構成している１枚または複数枚のカレンダー用紙（２）の表面には、日にちが印刷されている暦部（５）と、この暦部（５）以外で裏面をメモ書き用としては利用しない再利用部（６）とで構成されており、
前記カレンダー用紙（２）の再利用部（６）の裏面には、複数枚のポストカード（７）として印刷されており、
前記再利用部（６）の表面には、前記ポストカード（７）に対応して源氏物語の各帖に対応した絵柄がそれぞれ印刷されている
ことを特徴とするカレンダー。
【請求項４】
カレンダー本体（１）を構成している１枚または複数枚のカレンダー用紙（２）の表面には、日にちが印刷されている暦部（５）と、この暦部（５）以外で裏面をメモ書き用としては利用しない再利用部（６）とで構成されており、
前記カレンダー用紙（２）の再利用部（６）の表面は複数に分割されていて、各分割された箇所には源氏物語の各帖に対応した絵柄が印刷されており、
前記再利用部（６）の各分割された裏面には、源氏物語の各帖のあらましがそれぞれ印刷されている
ことを特徴とするカレンダー。
【請求項５】
カレンダー本体（１）を構成している１枚または複数枚のカレンダー用紙（２）の表面には、日にちが印刷されている暦部（５）と、この暦部（５）以外で裏面をメモ書き用としては利用しない再利用部（６）とで構成されており、
前記カレンダー用紙（２）の再利用部（６）の表面は複数に分割されていて、各分割された箇所にはおとぎ話の各場面の絵柄が印刷されており、
前記再利用部（６）の各分割された裏面には、おとぎ話の各場面のあらましがそれぞれ印刷されている
ことを特徴とするカレンダー。
【請求項６】
カレンダー本体（１）を構成している１枚または複数枚のカレンダー用紙（２）の表面には、日にちが印刷されている暦部（５）と、この暦部（５）以外で裏面をメモ書き用としては利用しない再利用部（６）とで構成されており、
前記カレンダー用紙（２）の再利用部（６）の表面または裏面は写真が印刷されており、
前記再利用部（６）は、ジグソーパズル状に多数の小片（１３）が切り離し可能に形成されている
ことを特徴とするカレンダー。
【請求項７】
カレンダー本体（１）を構成している１枚または複数枚のカレンダー用紙（２）の表面には、日にちが印刷されている暦部（５）と、この暦部（５）以外で裏面をメモ書き用としては利用しない再利用部（６）とで構成されており、
前記カレンダー用紙（２）の再利用部（６）の表面には任意の動物の絵柄が印刷されており、
前記動物の絵柄は再利用部（６）から切り離し可能で、切り離し後は該動物を組み立て可能に形成されている
ことを特徴とするカレンダー。
【請求項８】
カレンダー本体（１）を構成している１枚または複数枚のカレンダー用紙（２）の表面には、日にちが印刷されている暦部（５）と、この暦部（５）以外で裏面をメモ書き用としては利用しない再利用部（６）とで構成されており、
前記カレンダー用紙（２）の再利用部（６）の表面にはトランプの各種の絵柄がそれぞれ印刷されている
ことを特徴とするカレンダー。
【請求項９】
カレンダー本体（１）を構成している１枚または複数枚のカレンダー用紙（２）の表面には、日にちが印刷されている暦部（５）と、この暦部（５）以外で裏面をメモ書き用としては利用しない再利用部（６）とで構成されており、
前記カレンダー用紙（２）を、２枚の紙材（２０）（２１）と、この２枚の紙材（２０）（２１）との間に貼合した金属箔（２２）とで構成して、該カレンダー用紙（２）にスキミング防止機能を持たせ、
前記再利用部（６）を任意の大きさに切り離し可能なスキミング防止カード（３０）としている
ことを特徴とするカレンダー。
【発明の詳細な説明】
【技術分野】
【０００１】
本発明は、カレンダーに関するものである。
【背景技術】
【０００２】
現在、市販されているカレンダーとしては、１枚の大きな紙に１月から１２月までの１年分の暦を一面に記載したカレンダーや、ひと月分の暦を記載した１２枚の用紙からなるカレンダーや、ふた月分の暦を記載した６枚の用紙からなるカレンダー等がある。
【０００３】
また、上記のような各種のカレンダーにおいては、各用紙に日にちが印刷されている暦の部分が全面に記載されているものや、下部の半分あるいは１／３の部分に暦を記載し、該暦の上方には風景、人物、広告用等の写真が印刷されているものなどがある。
【０００４】
また、本出願人が出願したカレンダーとして以下に示す特許文献１が挙げられる。
【先行技術文献】
【特許文献】
【０００５】
【特許文献１】実用新案登録第３１４９８３０号（実願２００９−４４４）
【発明の概要】
【発明が解決しようとする課題】
【０００６】
上記特許文献１は、複数枚のバラバラのカレンダー用紙を揃え、カレンダー用紙の上端をクリップにて挟持し、複数枚のカレンダー用紙がクリップにて束ねることで一体化している。また、クリップを単にカレンダー用紙を挟持して束ねるための機能ではなく、同時にクリップにより壁面に掛けるのに利用している。
上記特許文献１によれば、複数枚のカレンダー用紙を綴じることなく、簡単にカレンダー用紙を束ねることができ、また、クリップにて簡単に壁面に掛けることができるとしている。
【０００７】
しかしながら、上記特許文献１のカレンダーや、他のカレンダーにおいても、その月が経過すれば、１枚１枚カレンダー用紙を外して、ほとんどが廃棄されており、強いて有効に利用しているとすれば、使用済みのカレンダー用紙を適当な大きさに切って裏面の白紙部分をメモ用紙として使用している程度である。
【０００８】
本発明は上述の問題点に鑑みて提供したものであって、カレンダー用紙の暦部分以外の箇所に工夫を凝らして一層の再利用を図ったカレンダーを提供することを目的としているものである。
【課題を解決するための手段】
【０００９】
そこで、本発明の請求項１に記載のカレンダーでは、カレンダー本体１を構成している１枚または複数枚のカレンダー用紙２の表面には、日にちが印刷されている暦部５と、この暦部５以外で裏面をメモ書き用としては利用しない再利用部６とで構成されており、
前記カレンダー用紙２の再利用部６の表面には、一面にわたって１枚の写真が印刷されており、前記再利用部６の裏面には、複数枚のポストカード７として印刷されていることを特徴としている。
【００１０】
請求項２に記載のカレンダーでは、カレンダー本体１を構成している１枚または複数枚のカレンダー用紙２の表面には、日にちが印刷されている暦部５と、この暦部５以外で裏面をメモ書き用としては利用しない再利用部６とで構成されており、
前記カレンダー用紙２の再利用部６の裏面には、複数枚のポストカード７として印刷されており、前記再利用部６の表面には、前記ポストカード７に対応して１枚１枚写真がそれぞれ印刷されていることを特徴としている。
【００１１】
請求項３に記載のカレンダーでは、カレンダー本体１を構成している１枚または複数枚のカレンダー用紙２の表面には、日にちが印刷されている暦部５と、この暦部５以外で裏面をメモ書き用としては利用しない再利用部６とで構成されており、
前記カレンダー用紙２の再利用部６の裏面には、複数枚のポストカード７として印刷されており、前記再利用部６の表面には、前記ポストカード７に対応して源氏物語の各帖に対応した絵柄がそれぞれ印刷されていることを特徴としている。
【００１２】
請求項４に記載のカレンダーでは、カレンダー本体１を構成している１枚または複数枚のカレンダー用紙２の表面には、日にちが印刷されている暦部５と、この暦部５以外で裏面をメモ書き用としては利用しない再利用部６とで構成されており、
前記カレンダー用紙２の再利用部６の表面は複数に分割されていて、各分割された箇所には源氏物語の各帖に対応した絵柄が印刷されており、前記再利用部６の各分割された裏面には、源氏物語の各帖のあらましがそれぞれ印刷されていることを特徴としている。
【００１３】
請求項５に記載のカレンダーでは、カレンダー本体１を構成している１枚または複数枚のカレンダー用紙２の表面には、日にちが印刷されている暦部５と、この暦部５以外で裏面をメモ書き用としては利用しない再利用部６とで構成されており、
前記カレンダー用紙２の再利用部６の表面は複数に分割されていて、各分割された箇所にはおとぎ話の各場面の絵柄が印刷されており、前記再利用部６の各分割された裏面には、おとぎ話の各場面のあらましがそれぞれ印刷されていることを特徴としている。
【００１４】
請求項６に記載のカレンダーでは、カレンダー本体１を構成している１枚または複数枚のカレンダー用紙２の表面には、日にちが印刷されている暦部５と、この暦部５以外で裏面をメモ書き用としては利用しない再利用部６とで構成されており、
前記カレンダー用紙２の再利用部６の表面または裏面は写真が印刷されており、前記再利用部６は、ジグソーパズル状に多数の小片１３が切り離し可能に形成されていることを特徴としている。
【００１５】
請求項７に記載のカレンダーでは、カレンダー本体１を構成している１枚または複数枚のカレンダー用紙２の表面には、日にちが印刷されている暦部５と、この暦部５以外で裏面をメモ書き用としては利用しない再利用部６とで構成されており、
前記カレンダー用紙２の再利用部６の表面には任意の動物の絵柄が印刷されており、前記動物の絵柄は再利用部６から切り離し可能で、切り離し後は該動物を組み立て可能に形成されていることを特徴としている。
【００１６】
請求項８に記載のカレンダーでは、カレンダー本体１を構成している１枚または複数枚のカレンダー用紙２の表面には、日にちが印刷されている暦部５と、この暦部５以外で裏面をメモ書き用としては利用しない再利用部６とで構成されており、
前記カレンダー用紙２の再利用部６の表面にはトランプの各種の絵柄がそれぞれ印刷されていることを特徴としている。
【００１７】
請求項９に記載のカレンダーでは、カレンダー本体１を構成している１枚または複数枚のカレンダー用紙２の表面には、日にちが印刷されている暦部５と、この暦部５以外で裏面をメモ書き用としては利用しない再利用部６とで構成されており、
前記カレンダー用紙２を、２枚の紙材２０、２１と、この２枚の紙材２０、２１との間に貼合した金属箔２２とで構成して、該カレンダー用紙２にスキミング防止機能を持たせ、前記再利用部６を任意の大きさに切り離し可能なスキミング防止カード３０としていることを特徴としている。
【発明の効果】
【００１８】
本発明の請求項１に記載のカレンダーによれば、カレンダー用紙２の再利用部６の表面には、一面にわたって１枚の写真が印刷されており、前記再利用部６の裏面には、複数枚のポストカード７として印刷されているので、月が終わった後のカレンダー用紙２を切り取った後は、今までのようにカレンダー用紙２を破り捨てるのではなく、裏面に綺麗な写真が印刷されているポストカード７として再利用できるものである。また、別途、絵はがき等を購入する必要もなく、カレンダー用紙２を安価に再利用することができる。
【００１９】
請求項２に記載のカレンダーによれば、カレンダー用紙２の再利用部６の裏面には、複数枚のポストカード７として印刷されており、前記再利用部６の表面には、前記ポストカード７に対応して１枚１枚写真がそれぞれ印刷されていることで、月が終わった後のカレンダー用紙２を切り取った後は、今までのようにカレンダー用紙２を破り捨てるのではなく、裏面に綺麗な写真が印刷されているポストカード７として再利用できるものである。また、別途、絵はがき等を購入する必要もなく、カレンダー用紙２を安価に再利用することができる。
また、各ポストカード７の大きさに対応した大きさの１枚の写真としているので、各ポストカード７の裏面の写真も途中で切断されることもなく、そのため、写真としての完成度もあり、ポストカード７を受け取った人も違和感を感じることもない。
【００２０】
請求項３に記載のカレンダーによれば、カレンダー用紙２の再利用部６の裏面には、複数枚のポストカード７として印刷されており、前記再利用部６の表面には、前記ポストカード７に対応して源氏物語の各帖に対応した絵柄がそれぞれ印刷されているので、月が終わった後のカレンダー用紙２を切り取った後は、今までのようにカレンダー用紙２を破り捨てるのではなく、裏面に源氏物語の中の帖の絵柄が印刷されているポストカード７として再利用できるものである。また、別途、絵はがき等を購入する必要もなく、カレンダー用紙２を安価に再利用することができる。
【００２１】
請求項４に記載のカレンダーによれば、カレンダー用紙２の再利用部６の表面は複数に分割されていて、各分割された箇所には源氏物語の各帖に対応した絵柄が印刷されており、前記再利用部６の各分割された裏面には、源氏物語の各帖のあらましがそれぞれ印刷されていることで、表面の各帖の題名（例えば、桐壺）と相まって知識が深まり、源氏物語を本格的に読んでみたいと思う人も増加し、教養を一層高めさせることができる動機付けにもなる。
【００２２】
請求項５に記載のカレンダーによれば、カレンダー用紙２の再利用部６の表面は複数に分割されていて、各分割された箇所にはおとぎ話の各場面の絵柄が印刷されており、前記再利用部６の各分割された裏面には、おとぎ話の各場面のあらましがそれぞれ印刷されていることで、月が終わった後のカレンダー用紙２を切り取った後は、今までのようにカレンダー用紙２を破り捨てるのではなく、おとぎ話などのストーリーに対応した場面の絵柄毎に分割して切り取り、絵柄毎に切り取った後は、絵柄を子供に見せながら、裏面に印刷してある文章を親が読むことで、紙芝居のようにしてカレンダー用紙２を再利用することができる。
また、おとぎ話などは、通常は本として販売されているものの、１枚１枚カードのような状態では販売されておらず、子供におとぎ話に対して興味を持たせることができ、子供ににおとぎ話の知識を与えたり、また、興味を持った場合には、本格的に書いてある本を買って子供に読み聞かせたり、あるいは子供自身が読むことで、教養を一層高めさせる動機付けを与えることができる。このように、カレンダー用紙２を再利用でき、しかも、再利用部６はカレンダー用紙２に付随的なものであるため、安価に提供することができる。
【００２３】
請求項６に記載のカレンダーによれば、カレンダー用紙２の再利用部６の表面または裏面は写真が印刷されており、前記再利用部６は、ジグソーパズル状に多数の小片１３が切り離し可能に形成されているので、月が終わった後のカレンダー用紙２を切り取った後は、今までのようにカレンダー用紙２を破り捨てるのではなく、再利用部６の各小片１３を切り離すことで、ジグソーパズルとして楽しむことができる。これにより、再利用部６を再利用することができ、また、別途、ジグソーパズルを購入する必要もなく、カレンダー用紙２を安価に再利用することができる。
【００２４】
請求項７に記載のカレンダーによれば、カレンダー用紙２の再利用部６の表面には任意の動物の絵柄が印刷されており、前記動物の絵柄は再利用部６から切り離し可能で、切り離し後は該動物を組み立て可能に形成されているので、月が終わった後のカレンダー用紙２を切り取った後は、今までのようにカレンダー用紙２を破り捨てるのではなく、再利用部６の動物を切り離すことで、また、切り離した後に、各部材を糊付けしたり山折りして楽しみながら動物を組み立てることができる。
また、動物の絵柄が印刷されて台紙から切り離して動物を組み立てる市販の商品を別途、購入する必要もなく、カレンダー用紙２を安価に再利用することができる。
【００２５】
請求項８に記載のカレンダーによれば、カレンダー用紙２の再利用部６の表面にはトランプの各種の絵柄がそれぞれ印刷されているので、月が終わった後のカレンダー用紙２を切り取った後は、今までのようにカレンダー用紙２を破り捨てるのではなく、再利用部６の各トランプを切り取ることで、また、切り離した後に、各トランプを集めていき、全部が揃った状態でトランプを楽しむことができる。
また、別途市販されているトランプを購入する必要もなく、カレンダー用紙２を安価に再利用することができる。
【００２６】
請求項９に記載のカレンダーによれば、カレンダー用紙２を、２枚の紙材２０、２１と、この２枚の紙材２０、２１との間に貼合した金属箔２２とで構成して、該カレンダー用紙２にスキミング防止機能を持たせ、前記再利用部６を任意の大きさに切り離し可能なスキミング防止カード３０としていることで、月が終わった後のカレンダー用紙２を切り取った後は、今までのようにカレンダー用紙２を破り捨てるのではなく、再利用部６の各スキミング防止カード３０を切り取ることで、個別にスキミング防止カード３０として使用することができる。特に、切り取ったスキミング防止カード３０を財布の中に入れておくことで、クレジットカードやキャッシュカードのデータが盗まれるのを防止することができる。
また、別途市販されているスキミング防止カードを購入する必要もなく、カレンダー用紙２を安価に再利用することができる。
【図面の簡単な説明】
【００２７】
【図１】本発明の第１の実施の形態におけるカレンダー用紙の表面図である。
【図２】本発明の第１の実施の形態におけるカレンダー用紙の裏面図である。
【図３】本発明の第２の実施の形態におけるカレンダー用紙の表面図である。
【図４】本発明の第３の実施の形態におけるカレンダー用紙の表面図である。
【図５】本発明の第４の実施の形態におけるカレンダー用紙の表面図である。
【図６】本発明の第４の実施の形態におけるカレンダー用紙の裏面図である。
【図７】本発明の第５の実施の形態におけるカレンダー用紙の表面図である。
【図８】本発明の第６の実施の形態におけるカレンダー用紙の表面図である。
【図９】本発明の第６の実施の形態におけるカレンダー用紙の表面図である。
【図１０】本発明の第６の実施の形態におけるカレンダー用紙の表面図である。
【図１１】本発明の第６の実施の形態におけるライオンの親子を組み立てた状態を示す説明図である。
【図１２】本発明の第７の実施の形態におけるカレンダー用紙の表面図である。
【図１３】本発明の第８の実施の形態におけるカレンダー用紙の表面図である。
【図１４】本発明の第８の実施の形態におけるスキミング防止カードとした場合の要部拡大断面図である。
【発明を実施するための形態】
【００２８】
（第１の実施の形態）
以下、本発明の第１の実施の形態を図面を参照して詳細に説明する。図１は本発明のカレンダー本体１の正面図（表面）を示し、図２はカレンダー本体１の裏面図を示している。
このカレンダー本体１は、ひと月分の暦を記載したカレンダー用紙２が１２枚で構成されている場合を示しているが、１枚のカレンダー用紙２にふた月分、あるいは、み月分を載せている場合でも良い。
【００２９】
カレンダー本体１の上部は、複数枚のカレンダー用紙２を把持して綴っている細長状の保持部３が形成されており、この保持部３の中央部には該カレンダー本体１を壁面等に掛けるための穴４が穿孔されている。保持部３とカレンダー用紙２との間にはミシン目が入れてあり、カレンダー用紙２を保持部３から１枚１枚容易に切り取ることができるようになっている。
図示例では、カレンダー用紙２にはひと月分の暦が載せてあるので、１２枚のカレンダー用紙２にて構成され、月が終わるたびにカレンダー用紙２を保持部３から切り取る一般的なカレンダーとなっている。
【００３０】
また、各カレンダー用紙２は、ひと月分の暦が印刷されている暦部５と、この暦部５以外を再利用する再利用部６とで構成されており、本実施形態では、この再利用部６には一面に写真が印刷されている。図１に示すように、カレンダー用紙２に暦部５と写真が印刷されている状態では、今までのカレンダーと同様であるが、本実施形態では、写真を印刷している再利用部６を再利用するようにしたのが、今までのカレンダーとは異なるところである。
【００３１】
カレンダー用紙２の再利用部６の裏面には、図２に示すように複数枚のポストカード７が印刷されている。このポストカード７の大きさは市販の郵便はがきと同じ大きさとしており、本実施形態では、８枚のポストカード７を設けている。カレンダー用紙２を保持部３から切り取った後に、各ポストカード７を再利用するものであり、カレンダーとしては再利用部６の写真が裏面となり、ポストカード７の宛て名書きの部分が表面となる。
【００３２】
カレンダー用紙２の再利用部６の裏面には、切り取り線１０が設けてあり、この切り取り線１０は印刷のみとしたり、トムソン型押しとしたり、あるいはミシン目を入れて切り取り易いようになっている。
【００３３】
ここで、本実施形態では、再利用部６の再利用としてポストカード７としているので、カレンダー用紙２はある程度厚みのある紙材を用いている。例えば、北越製紙株式会社製のニューベルネのホワイトを用いており、坪量として、２５６．０ｇ／ｍ2 であり、また、パール仕上げとなっている。
この紙材は、ポストカード（絵はがき）７として好適例であり、表面の写真を利用することで、とてもカレンダーの再利用とは思えないほどである。
【００３４】
したがって、月が終わった後のカレンダー用紙２を切り取った後は、今までのようにカレンダー用紙２を破り捨てるのではなく、裏面に綺麗な写真が印刷されているポストカード７として再利用できるものである。また、別途、絵はがき等を購入する必要もなく、カレンダー用紙２を安価に再利用することができる。
【００３５】
（第２の実施の形態）
先の実施形態では、カレンダー用紙２の再利用部６には１枚の大きな写真を印刷していたので、ポストカード７として使用した場合、該ポストカード７の裏面には写真の一部しか印刷されていないので、箇所によっては何の写真かが分からない場合も生じる。
そこで、本実施形態では、図３に示すように、各ポストカード７に対応した大きさの写真を印刷するようにしたものである。
【００３６】
すなわち、カレンダー用紙２の裏面には図２に示すのと同様のポストカード７が印刷されており、カレンダー用紙２の表面の再利用部６には、８枚のポストカード７に対応させた写真１〜８が印刷されている。各写真はそれぞれ異なる風景等が印刷されているが、同一の写真でも良い。
また、ポストカード７の大きさを図２では定型内の大きさとしているが、もちろん定型外の大きさとし、表面の写真も定型外の大きさにするようにしても良い。
【００３７】
このように、本実施形態では、月が終わった後のカレンダー用紙２を切り取った後は、今までのようにカレンダー用紙２を破り捨てるのではなく、裏面に綺麗な写真が印刷されているポストカード７として再利用できるものである。また、別途、絵はがき等を購入する必要もなく、カレンダー用紙２を安価に再利用することができる。
また、各ポストカード７の大きさに対応した大きさの１枚の写真としているので、各ポストカード７の裏面の写真も途中で切断されることもなく、そのため、写真としての完成度もあり、ポストカード７を受け取った人も違和感を感じることもない。
【００３８】
（第３の実施の形態）
図４は第３の実施形態を示し、カレンダー用紙２の再利用部６には、例えば、源氏物語の１帖から８帖を表す代表的な絵柄を印刷したものである。もちろん、カレンダー用紙２の裏面には、図２に示すのと同様のポストカード７としての印刷が施してある。
源氏物語は、一般に１帖から５４帖まであるので、図示例では１１月に１帖からのを印刷しているがこれは説明の便宜上のためであり、１月から源氏物語の１帖を印刷するようにしている。
【００３９】
カレンダー用紙２が１２枚の場合では、７月で５４帖が終わってしまうので、続けて再利用部６に源氏物語の１帖からを印刷していっても良く、また、図３に示すような写真を印刷するようにしても良い。
また、カレンダー用紙２の表面に源氏物語の各帖に対応した絵柄を印刷し、裏面をポストカード７としても良いが、ポストカード７の印刷を施すのではなく、裏面には各帖の物語のあらましを印刷するようにしても良い。
【００４０】
源氏物語については、各帖の内容についての知識も無い人も比較的多いと思われるので、カレンダー用紙２の裏面にあらましや登場人物等を印刷しておくことで、表面の各帖の題名（例えば、桐壺）と相まって知識が深まり、源氏物語を本格的に読んでみたいと思う人も増加し、教養を一層高めさせることができる動機付けにもなる。
【００４１】
このように、本実施形態では、月が終わった後のカレンダー用紙２を切り取った後は、今までのようにカレンダー用紙２を破り捨てるのではなく、裏面に源氏物語の中の帖の絵柄が印刷されているポストカード７として再利用できるものである。また、別途、絵はがき等を購入する必要もなく、カレンダー用紙２を安価に再利用することができる。
また、カレンダー用紙２の裏面には、源氏物語の各帖のあらましや登場人物等を印刷しておくことで、表面の各帖の題名（例えば、桐壺）と相まって知識が深まり、源氏物語を本格的に読んでみたいと思う人も増加し、教養を一層高めさせることができる動機付けにもなる。
【００４２】
（第４の実施の形態）
次に、第４の実施形態について図５及び図６により説明する。本実施形態では、カレンダー用紙２の再利用部６を分割して、桃太郎、浦島太郎、白雪姫などのおとぎ話のストーリーの代表的な場面の絵柄を印刷し、その絵柄の裏面には、各場面に対応した文章を印刷している。
１つのおとぎ話をひと月のカレンダー用紙２に分割して印刷をし、月が終わった後にカレンダー用紙２の再利用部６を場面ごとに切り取る。そして、紙芝居のような感じで１枚１枚幼い子供に絵柄を見せて、親は裏面に印刷されている文章を読むことで、子供におとぎ話の知識を与えたり、また、興味を持った場合には、本格的に書いてある本を買って子供に読み聞かせたり、あるいは子供自身が読むことで、教養を一層高めさせる動機付けを与えることができる。
【００４３】
本実施形態では、カレンダー用紙２を１２枚で構成した場合、１２のおとぎ話を印刷することができ、多くのおとぎ話に関する知識を子供に与えることができる。
【００４４】
このように、本実施形態では、月が終わった後のカレンダー用紙２を切り取った後は、今までのようにカレンダー用紙２を破り捨てるのではなく、おとぎ話などのストーリーに対応した場面の絵柄毎に分割して切り取り、絵柄毎に切り取った後は、絵柄を子供に見せながら、裏面に印刷してある文章を親が読むことで、紙芝居のようにしてカレンダー用紙２を再利用することができる。
【００４５】
また、おとぎ話などは、通常は本として販売されているものの、１枚１枚カードのような状態では販売されておらず、子供におとぎ話に対して興味を持たせることができ、子供ににおとぎ話の知識を与えたり、また、興味を持った場合には、本格的に書いてある本を買って子供に読み聞かせたり、あるいは子供自身が読むことで、教養を一層高めさせる動機付けを与えることができる。このように、カレンダー用紙２を再利用でき、しかも、再利用部６はカレンダー用紙２に付随的なものであるため、安価に提供することができる。
【００４６】
（第５の実施の形態）
図７は第５の実施形態を示し、本実施形態では、カレンダー用紙２の再利用部６にジグソーパズルを形成したものである。再利用部６の表面または裏面には任意の写真などが印刷されていて、切り込み線１２にて任意の数の小片１３を形成している。隣接する各小片１３は、通常のジグソーパズルのように一部がつながっていて、切り込み線１２に沿ってばらしていくことで、各小片１３を簡単に切り離すことができるようになっている。
【００４７】
ここで、本実施形態におけるカレンダー用紙２の厚みであるが、先の実施形態のようにポストカード７等よりは厚くしており、各小片１３をジグソーパズルとして凹凸の嵌め合わせが可能な厚みとしている。
【００４８】
このように、本実施形態では、月が終わった後のカレンダー用紙２を切り取った後は、今までのようにカレンダー用紙２を破り捨てるのではなく、再利用部６の各小片１３を切り込み線１２に沿ってばらすことで、ジグソーパズルとして楽しむことができる。これにより、再利用部６を再利用することができ、また、別途、ジグソーパズルを購入する必要もなく、カレンダー用紙２を安価に再利用することができる。
【００４９】
（第６の実施の形態）
第６の実施形態を図８〜図１１に示す。本実施形態では、カレンダー用紙２の再利用部６に動物の絵柄を印刷し、各絵柄を再利用部６から切り取り、山折りや糊付けをすることで、動物を組み立てることができるようにしたものである。
各月のカレンダー用紙２には異なる動物の絵柄が印刷されていて、例えば、図８に示す１０月では親子の象の絵柄が印刷されている。また、図９に示す１１月では、ライオンの親子の絵柄が印刷されており、図１０に示す１２月では、キリンの親子の絵柄が印刷されている。
【００５０】
図８及び図９に示すように、象やライオンを構成している「からだ」、「かお」、「みみ」、「ひげ」等がそれぞれ個別に印刷されており、各部材はその周囲に沿って切り取り線１５が形成されている。この切り取り線１５の途中にはジグソーパズルの場合と同様に絵柄部分と絵柄以外の部分とは一部がつながっていて、再利用部６から切り取り線１５により各絵柄を簡単に切り外すことができる。なお、図１０に示すキリンは、そのからだの特徴から、一体物として印刷されている。
【００５１】
このように、本実施形態では、月が終わった後のカレンダー用紙２を切り取った後は、今までのようにカレンダー用紙２を破り捨てるのではなく、再利用部６の動物の各構成部材を切り取り線１５に沿って切り離すことで、また、切り離した後に、各部材を糊付けしたり山折りして楽しみながら動物を組み立てることができる。図１１はライオンの親子を組み立てた状態を示している。
また、動物の絵柄が印刷されて台紙から切り離して動物を組み立てる市販の商品を別途、購入する必要もなく、カレンダー用紙２を安価に再利用することができる。
【００５２】
なお、本実施形態におけるカレンダー用紙２の厚みは、第１の実施形態のポストカード７の場合と同様の厚さでもよく、また、山折りなどをするため、折り安さの観点から通常のカレンダーで用いられている薄いものでもよい。また、カレンダー用紙２の紙材として、クラフトペーパーを用いても良い。
【００５３】
（第７の実施の形態）
図１２に第７の実施形態を示す。本実施形態では、カレンダー用紙２の再利用部６にトランプを印刷したものであり、再利用部６の裏面には、各トランプの大きさに応じた背景画が印刷されている。各トランプの大きさは、市販されている通常のトランプの大きさと同じの場合や、小さくしたり、大きくしたり、任意の大きさにすることができる。
特に、遊び心で、トランプの大きさを小さくしたり、大きくした場合は、楽しくトランプをすることができる。
【００５４】
この実施形態におけるカレンダー用紙２の厚みは、トランプとしていることから、第１の実施形態のポストカード７の場合と同様の厚みが好適例である。
また、各トランプを綺麗に切り取りが可能なように、切り取り線１７が設けられている。
【００５５】
このように、本実施形態では、月が終わった後のカレンダー用紙２を切り取った後は、今までのようにカレンダー用紙２を破り捨てるのではなく、再利用部６の各トランプを切り取り線１７に沿って切り離すことで、また、切り離した後に、各トランプを集めていき、全部が揃った状態でトランプを楽しむことができる。
また、別途市販されているトランプを購入する必要もなく、カレンダー用紙２を安価に再利用することができる。
【００５６】
なお、トランプの全種類を１枚のカレンダー用紙２の再利用部６に印刷しておいても良いが、小さくなり過ぎる虞があるので、適当な大きさのトランプとした場合は、全種類が揃うのには、複数月を経過する必要があるが、カレンダー用紙２を再利用するという観点からは、特に不都合ではない。
【００５７】
（第８の実施の形態）
図１３は第８の実施形態を示し、本実施形態では、カレンダー用紙２の再利用部６にスキミング防止の機能を持たせたものである。図１４は、カレンダー用紙２（再利用部６）の要部拡大断面図を示し、上下の紙材２０、２１の間に薄い金属箔２２をサンドイッチ状に貼合してカレンダー用紙２を構成しているものである。
上記金属箔２２としては、アルミ箔、金紙、銀紙の任意のものでよく、厚みとして、約１０μｍのものを用いている。
【００５８】
カードリーダーにより悪意を持って他人のクレジットカードやキャッシュカードに高周波磁界を照射し、これにより、クレジットカードやキャッシュカードの暗証番号等のデータを盗むことが可能である。これは、近接した位置からカードリーダーにてクレジットカード等からデータが本人が知らない間に盗まれることになる。
これを防止する手段として、カードリーダーからの高周波磁界を遮断して、クレジットカード等からデータが盗まれるのを防ぐスキミング防止カードが市販されている。
【００５９】
この種のスキミング防止カードの大きさは、クレジットカードやキャッシュカードとほぼ同じ大きさのものや、財布の大きさのものなどがあり、スキミング防止カードを財布の中に入れておくことで、スキミング防止を図っている。
【００６０】
本実施形態では、図１３に示すように、クレジットカードやキャッシュカードの大きさとほぼ同じとしたスキミング防止カード３０としており、カレンダー用紙２内に貼合配設した上記金属箔２２にてカードリーダーからの高周波磁界を遮断して、クレジットカードやキャッシュカードからデータが盗まれるのを防止している。
【００６１】
また、各スキミング防止カード３０間には切り取り線１８を形成している。この切り取り線１８は、線状に印刷しているものであり、この切り取り線１８に沿ってハサミ等で切り取ることで、クレジットカード等の大きさとほぼ同じ大きさのスキミング防止カード３０として使用することができる。
【００６２】
なお、再利用部６の表面には図１３に示すように、切り取り線１８と共に、該切り取り線１８にて囲まれる部分に「スキミング防止カード」の文字を印刷しておいても良く、また、全面にわたって１枚の写真、または各スキミング防止カード３０の大きさ毎に１枚の写真を印刷しておいても良い。かかる場合、再利用部６の隅に「スキミング防止カード」の文字を印刷しておくことで、カレンダーの使用者に本カレンダー本体１は、スキミング防止カードとして再利用できることを知らしめることができる。
【００６３】
また、財布の中に全体をカバーするようにスキミング防止カードを入れる場合には、切り取り線１８に沿うことなく任意の大きさのスキミング防止カード３０としてハサミにて切り取って、財布の中にスキミング防止カード３０を入れてクレジットカードやキャッシュカードのデータが盗まれるのを防止することができる。
【００６４】
このように、本実施形態では、月が終わった後のカレンダー用紙２を切り取った後は、今までのようにカレンダー用紙２を破り捨てるのではなく、再利用部６の各スキミング防止カード３０を切り取り線１８に沿って切り取ることで、個別にスキミング防止カード３０として使用することができる。特に、切り取ったスキミング防止カード３０を財布の中に入れておくことで、クレジットカードやキャッシュカードのデータが盗まれるのを防止することができる。
また、別途市販されているスキミング防止カードを購入する必要もなく、カレンダー用紙２を安価に再利用することができる。
【００６５】
なお、上記各実施形態においては、月が終わった後のカレンダー用紙２を切り取った後は、暦部５と再利用部６とを切り離し、暦部５の裏面はメモ書きとして利用しても良いが、本発明では再利用部６はメモ書きとしては利用せず、上述したようにメモ書き以外に再利用することを特徴としているものである。
【００６６】
また、本発明は、複数毎（６枚、１２枚）のカレンダー用紙２でカレンダー本体１を構成しているはもちろん、１月〜１２月までの暦を全部印刷している１枚もののカレンダーにも適用できるものである。
【符号の説明】
【００６７】
１  カレンダー本体
２  カレンダー用紙
５  暦部
６  再利用部
７  ポストカード
１３  小片
２０  紙材
２１  紙材
２２  金属箔
３０  スキミング防止カード
【図１】
2011101981.tif 000003
【図２】
2011101981.tif 000004
【図３】
2011101981.tif 000005
【図４】
2011101981.tif 000006
【図５】
2011101981.tif 000007
【図６】
2011101981.tif 000008
【図７】
2011101981.tif 000009
【図８】
2011101981.tif 000010
【図９】
2011101981.tif 000011
【図１０】
2011101981.tif 000012
【図１１】
2011101981.tif 000013
【図１２】
2011101981.tif 000014
【図１３】
2011101981.tif 000015
【図１４】
2011101981.tif 000016